(57)【要約】      （修正有）【課題】蓄電モジュールの可用性を向上させる。【解決手段】第１の隔壁部材３ａに形成された気密構造の複数の保持部９０ａには第１の蓄電セル１０ａが各々挿入されて、第１の蓄電セル１０ａが、その防爆弁３０ａが第１の区画空間５ａに曝され、かつその電極端子２０ａが第３の区画空間４に曝されるように配され、第２の隔壁部材３ｂに形成された気密構造の複数の保持部９０ｂには第２の蓄電セル１０ｂが各々挿入されて、当該第２の蓄電セル１０ｂが、その防爆弁３０ｂが前記第２の区画空間５ｂに曝され、かつその電極端子３０ｂが第３の区画空間４に曝されるように配され、第３の区画空間４には第１の蓄電セル１０ａの電極端子２０ａ及び前記第２の蓄電セル１０ｂの電極端子３０ｂと接続された制御回路６が配される。【選択図】図１
2011249107.tif 000002
【特許請求の範囲】
【請求項１】
一対の端面及び一対の側面を有する箱形の筐体と、
前記筐体の前記一対の側面間において前記一対の側面に対置され、気密構造の複数の保持部が形成されている第１及び第２の隔壁部材と、
一対の端面のうち一方の端面には電極端子が備えられ、かつ他方の端面には防爆弁が備えられた複数の第１及び第２の蓄電セルと、
前記複数の第１及び第２の蓄電セルを制御する制御回路と、を備え、
前記筐体内の空間は、前記第１の隔壁部材と前記筐体の一方の側面との間の第１の区画空間と、前記第２の隔壁部材と前記筐体の他方の側面との間の第２の区画空間と、前記第１の隔壁部材と前記第２の隔壁部材との間の第３の区画空間と、に区画され、
前記第１の隔壁部材に形成された前記複数の保持部には前記第１の蓄電セルが各々挿入されて、前記第１の蓄電セルが、その防爆弁が前記第１の区画空間に曝され、かつその電極端子が前記第３の区画空間に曝されるように配され、
前記第２の隔壁部材に形成された気密構造の複数の保持部には前記第２の蓄電セルが各々挿入されて、前記第２の蓄電セルが、その防爆弁が前記第２の区画空間に曝され、かつその電極端子が前記第３の区画空間に曝されるように配され、
前記第３の区画空間には前記複数の第１及び第２の蓄電セルの電極端子と接続された前記制御回路が配され、
前記筐体の端面視において、複数の前記第１の蓄電セル同士が互いに重なり合うように一列に並び、かつ複数の前記第２の蓄電セル同士が互いに重なり合うように一列に並んでおり、
前記筐体の側面視において、前記複数の第１の蓄電セルの電極端子と前記複数の第２の蓄電セルの電極端子とが重なり合わないように、前記複数の第１の蓄電セル及び前記複数の第２の蓄電セルが配置されている、蓄電モジュール。
【請求項２】
前記筐体の側面視において、隣り合う前記第１の蓄電セル及び前記第２の蓄電セルの端面同士が重なり合うように、前記複数の第１及び第２の蓄電セルが配置されている、請求項１に記載の蓄電モジュール。
【請求項３】
前記第３の区画空間に、前記筐体の一対の側面に対置された第３及び第４の隔壁部材が設けられ、
前記第３の隔壁部材に形成された気密構造の複数の保持部には前記第１の蓄電セルが各々挿入されて、前記第１の蓄電セルが、前記第３の隔壁部材と前記第１の隔壁部材との間の空間に前記第１の蓄電セルの胴体部が曝され、かつ前記第３の隔壁部材と前記第４の隔壁部材の間の空間に前記第１の蓄電セルの電極端子が曝されるように配され、
前記第４の隔壁部材に形成された気密構造の複数の保持部には前記第２の蓄電セルが各々挿入されて、前記第２の蓄電セルが、前記第４の隔壁部材と前記第２の隔壁部材との間の空間に前記第２の蓄電セルの胴体部が曝され、かつ前記第４の隔壁部材と前記第３の隔壁部材の間の空間に前記第２の蓄電セルの電極端子が曝されるように配される、
請求項１又は２に記載の蓄電モジュール。
【請求項４】
前記第３の隔壁部材と前記第４の隔壁部材との間の空間に向けて冷却ガスを吸入させる吸入ファンと、
前記第１の隔壁部材と前記第３の隔壁部材との間の空間及び前記第２の隔壁部材と前記第４の隔壁部材との間の空間から前記冷却ガスを排出させる排出ファンと、
を備える、請求項３に記載の蓄電モジュール。
【請求項５】
前記第１の隔壁部材及び前記第２の隔壁部材の前記第３の区画空間側の壁面に腐食保護部材が塗布されている、請求項１乃至４のいずれか１項に記載の蓄電モジュール。
【請求項６】
一対の端面及び一対の側面を有する箱形の筐体と、
前記筐体の前記一対の側面間において前記一対の側面に対置され、気密構造の複数の保持部が形成されている第１及び第２の隔壁部材と、
一対の端面のうち一方の端面には電極端子が備えられ、かつ他方の端面には防爆弁が備えられた複数の第１及び第２の蓄電セルと、
前記複数の第１の蓄電セルを制御する第１の制御回路と、
前記複数の第２の蓄電セルを制御する第２の制御回路と、を備え、
前記筐体内の空間は、前記第１の隔壁部材と前記筐体の一方の側面との間の第１の区画空間と、前記第２の隔壁部材と前記筐体の他方の側面との間の第２の区画空間と、前記第１の隔壁部材と前記第２の隔壁部材との間の第３の区画空間と、に区画され、
前記第１の隔壁部材に形成された前記複数の保持部には前記第１の蓄電セルが各々挿入されて、前記第１の蓄電セルが、その電極端子が前記第１の区画空間に曝され、かつその防爆弁が前記第３の区画空間に曝されるように配され、
前記第２の隔壁部材に形成された前記複数の保持部には前記第２の蓄電セルが各々挿入されて、前記第２の蓄電セルが、その電極端子が前記第２の区画空間に曝され、かつその防爆弁が前記第３の区画空間に曝されるように配され、
前記第１の区画空間には複数の前記第１の蓄電セルの電極端子と接続された前記第１の制御回路が配され、
前記第２の区画空間には複数の前記第２の蓄電セルの電極端子と接続された前記第２の制御回路が配され、
前記筐体の端面視において、複数の前記第１の蓄電セル同士が互いに重なり合うように一列に並び、かつ複数の前記第２の蓄電セル同士が互いに重なり合うように一列に並んでおり、
前記筐体の側面視において、前記複数の第１の蓄電セルの防爆弁と前記複数の第２の蓄電セルの防爆弁とが重なり合わないように、前記複数の第１の蓄電セル及び前記複数の第２の蓄電セルが配置されている、蓄電モジュール。
【請求項７】
前記筐体の側面視において、隣り合う前記第１の蓄電セル及び前記第２の蓄電セルの端面同士が重なり合うように、前記複数の第１の蓄電セル及び前記複数の第２の蓄電セルが配置されている、請求項６に記載の蓄電モジュール。
【請求項８】
前記第１の区画空間に前記筐体の一対の側面に対置された第３の隔壁部材が設けられ、  
前記第２の区画空間に前記筐体の一対の側面に対置された第４の隔壁部材が設けられ、
前記第３の隔壁部材に形成された気密構造の複数の保持部には前記第１の蓄電セルが各々挿入されて、前記第１の蓄電セルが、前記第３の隔壁部材と前記第１の隔壁部材との間の空間にその胴体部が曝され、かつ前記第３の隔壁部材と前記筐体の一方の側面との間の空間にその電極端子が曝されるように配され、
前記第４の隔壁部材に形成された気密構造の複数の保持部には前記第２の蓄電セルが各々挿入されて、前記第４の隔壁部材と前記第２の隔壁部材との間の空間にその胴体部が曝され、かつ前記第４の隔壁部材と前記筐体の他方の側面との間の空間にその電極端子が曝されるように配される、
請求項６又は７に記載の蓄電モジュール。
【請求項９】
前記筐体の一方の側面と前記第３の隔壁部材との間の空間に向けて冷却ガスを吸入させる第１の吸入ファンと、
前記第３の隔壁部材と前記第１の隔壁部材との間の空間から前記冷却ガスを排出させる第１の排出ファンと、
前記筐体の他方の側面と前記第４の隔壁部材との間の空間に向けて冷却ガスを吸入させる第２の吸入ファンと、
前記第４の隔壁部材と前記第２の隔壁部材との間の空間から前記冷却ガスを排出させる第２の排出ファンと、を備える、請求項８に記載の蓄電モジュール。
【請求項１０】
前記第１の隔壁部材の前記第１の区画空間側の壁面及び前記第２の隔壁部材の前記第２の区画空間側の壁面に腐食保護部材が塗布されている、請求項６乃至９のいずれか１項に記載の蓄電モジュール。
【発明の詳細な説明】
【技術分野】
【０００１】
本発明は、電気二重層コンデンサ、リチウムイオンキャパシタ、リチウムイオン電池などの蓄電セルをモジュール化した蓄電モジュールに関するものである。
【背景技術】
【０００２】
近年、電気二重層コンデンサ、リチウムイオンキャパシタ、リチウムイオン電池などの蓄電セルが持つ高容量性、高出力性、及び軽量性の特徴に着目して、複数の蓄電セルをモジュール化した蓄電モジュールを、電気自動車用やハイブリッド型電気自動車用などの車両用電源や、住宅のエネルギーマネジメントシステム用電源などの用途へ利用することが期待されている。しかしながら、これらの用途に利用される蓄電モジュールは、ノートパソコン等の電子機器に用いられる蓄電モジュールと比べて、サイズや容量が大きくなり、また充放電時の発熱量が大きくなるという問題がある。そこで、蓄電モジュールに対し、冷却性能や安全性を高めて、可用性を向上させること（長寿命化）が求められている。
【０００３】
蓄電モジュールに関して例えば特許文献１乃至４に開示された技術が提案されている。
【０００４】
特許文献１には、冷却性能を向上させるために、水平方向に複数列配列されたタンデムセル（２個の蓄電セル（単セル）を直列に直線的に電気的かつ機械的に接続することで構成されたもの）を、冷却風が導入される導入側タンデムセルと冷却風が排出される排出側タンデムセルとに二分させることが開示されている。
【０００５】
特許文献２、３には、防爆弁を形成した端面が電極端子を形成した端面の反対側に形成された円筒型電池、角型電池が開示されている。
【０００６】
特許文献４には、防爆弁に対応した圧力開放弁開のときに放出された高圧ガス内の電解液を含んだミストなどが、蓄電セルの電極端子に付着し絶縁破壊することを防止するために、蓄電セルのガス放出口と冷却通路の開放口をケーシングの同一面に設け、摺動板により蓄電セルからガス放出されるときに冷却通路の開放口を遮断することが開示されている。
【先行技術文献】
【特許文献】
【０００７】
【特許文献１】特許第３６７４２６１号公報
【特許文献２】特開平９−１１５４９７号公報
【特許文献３】特許第３６６２１７５号公報
【特許文献４】特許第３７８０５４２号公報
【発明の概要】
【発明が解決しようとする課題】
【０００８】
しかしながら、発明者らが鋭意検討した結果、冷却性能の向上のための特許文献１の技術（特にタンデムセルの配置）に対して安全性向上のための防爆構造に関する特許文献２、３の技術（特に防爆弁と電極端子との配置）を適用することを検討したところ、タンデムセルを構成する２個の蓄電セルのうち一方の蓄電セルの防爆弁から高圧ガスが放出されたときに電解液などを含むミストが、他方の蓄電セルの電極端子に付着して当該電極端子を腐食させてしまう可能性があることが分かった。そこで、防爆弁から放出される高圧ガスによる電極端子の腐食防止対策として特許文献４の技術（特に摺動板）を適用することを検討したところ、冷却通路の開放口を遮断するために機械的な稼動部である摺動板を備えた煩雑な構造となりえるので、機械的精度が必要となり、腐食などによって機械的動作に障害が生じやすくなることが分かった。
【０００９】
本発明は、上記のような従来の課題を解決するためになされたものであり、冷却性能や安全性を向上させることで、蓄電モジュールの可用性を向上させることを目的とする。
【課題を解決するための手段】
【００１０】
上記目的を達成するために、本発明に係る蓄電モジュールは、一対の端面及び一対の側面を有する箱形の筐体と、前記筐体の前記一対の側面間において前記一対の側面に対置され、気密構造の複数の保持部が形成されている第１及び第２の隔壁部材と、一対の端面のうち一方の端面には電極端子が備えられ、かつ他方の端面には防爆弁が備えられた複数の第１及び第２の蓄電セルと、前記複数の第１及び第２の蓄電セルを制御する制御回路と、を備え、前記筐体内の空間は、前記第１の隔壁部材と前記筐体の一方の側面との間の第１の区画空間と、前記第２の隔壁部材と前記筐体の他方の側面との間の第２の区画空間と、前記第１の隔壁部材と前記第２の隔壁部材との間の第３の区画空間と、に区画され、前記第１の隔壁部材に形成された前記複数の保持部には前記第１の蓄電セルが各々挿入されて、前記第１の蓄電セルが、その防爆弁が前記第１の区画空間に曝され、かつその電極端子が前記第３の区画空間に曝されるように配され、  前記第２の隔壁部材に形成された気密構造の複数の保持部には前記第２の蓄電セルが各々挿入されて、前記第２の蓄電セルが、その防爆弁が前記第２の区画空間に曝され、かつその電極端子が前記第３の区画空間に曝されるように配され、前記第３の区画空間には前記複数の第１及び第２の蓄電セルの電極端子と接続された前記制御回路が配され、前記筐体の端面視において、複数の前記第１の蓄電セル同士が互いに重なり合うように一列に並び、かつ複数の前記第２の蓄電セル同士が互いに重なり合うように一列に並んでおり、前記筐体の側面視において、前記複数の第１の蓄電セルの電極端子と前記複数の第２の蓄電セルの電極端子とが重なり合わないように、前記複数の第１の蓄電セル及び前記複数の第２の蓄電セルが配置されている、蓄電モジュールである。
【００１１】
この構成によれば、筐体内の空間は、筐体の一方の側面から他方の側面に向けて、第１の蓄電セルの防爆弁が曝される第１の区画空間と、第１の蓄電セル及び第２の蓄電セルの電極端子が曝される第３の区画空間と、第２の蓄電セルの防爆弁が曝される第２の区画空間とに分離される。これにより、第１の蓄電セル又は第２の蓄電セルの防爆弁から放出された電解液ミストなどの高圧ガスによって、第１の蓄電セル及び第２の蓄電セルの胴体部や電極端子等が腐食や絶縁劣化されることを阻止できる。よって、蓄電モジュールの可用性が向上する。また、筐体の端面視において、複数の第１の蓄電セル同士が互いに重なり合うように一列に並び、かつ複数の第２の蓄電セル同士が互いに重なり合うように一列に並んでいるので、筐体の一対の端面の面積の拡大が抑えられ、筐体を小型化できる。また、筐体の側面視において、複数の第１の蓄電セルの電極端子と複数の第２の蓄電セルの電極端子とが重なり合わないように、複数の第１及び第２の蓄電セルが配置されることで、複数の第１及び第２の蓄電セルの電極端子と制御回路との間の接続が容易になる。
【００１２】
上記の蓄電モジュールにおいて、前記筐体の側面視において、隣り合う前記第１の蓄電セル及び前記第２の蓄電セルの端面同士が重なり合うように、前記複数の第１及び第２の蓄電セルが配置されている、としてもよい。
【００１３】
この構成によれば、筐体の一対の側面の面積の拡大が抑えられ、筐体をさらに小型化できる。
【００１４】
上記の蓄電モジュールにおいて、前記第３の区画空間に、前記筐体の一対の側面に対置された第３及び第４の隔壁部材が設けられ、前記第３の隔壁部材に形成された気密構造の複数の保持部には前記第１の蓄電セルが各々挿入されて、前記第１の蓄電セルが、前記第３の隔壁部材と前記第１の隔壁部材との間の空間に前記第１の蓄電セルの胴体部が曝され、かつ前記第３の隔壁部材と前記第４の隔壁部材の間の空間に前記第１の蓄電セルの電極端子が曝されるように配され、前記第４の隔壁部材に形成された気密構造の複数の保持部には前記第２の蓄電セルが各々挿入されて、前記第２の蓄電セルが、前記第４の隔壁部材と前記第２の隔壁部材との間の空間に前記第２の蓄電セルの胴体部が曝され、かつ前記第４の隔壁部材と前記第３の隔壁部材の間の空間に前記第２の蓄電セルの電極端子が曝されるように配される、としてもよい。
【００１５】
この構成によれば、第１の隔壁部材及び第３の隔壁部材によって第１の蓄電セルが二箇所で保持されるとともに、第２の隔壁部材及び第４の隔壁部材によって第２の蓄電セルが二箇所で保持されることになるので、制御回路と接続された第１の蓄電セルの電極端子及び第２の蓄電セルの電極端子にかかる負荷が抑えられ、筐体内での第１の蓄電セル及び第２の蓄電セルの保持が安定化され、蓄電モジュールの振動に伴う障害の発生が防止される。
【００１６】
上記の蓄電モジュールにおいて、前記第３の隔壁部材と前記第４の隔壁部材との間の空間に向けて冷却ガスを吸入させる吸入ファンと、前記第１の隔壁部材と前記第３の隔壁部材との間の空間及び前記第２の隔壁部材と前記第４の隔壁部材との間の空間から前記冷却ガスを排出させる排出ファンと、を備える、としてもよい。
【００１７】
この構成によれば、吸入ファンにより第３の隔壁部材と第４の隔壁部材との間の空間へ冷却ガスを誘導し、排出ファンにより当該冷却ガスを第１の隔壁部材と第３の隔壁部材との間の空間及び第２の隔壁部材と第４の隔壁部材との間の空間から排出することによって、蓄電モジュール内の第１の蓄電セル及び第２の蓄電セル間の温度差を均一にすることができ、蓄電モジュールの冷却性能を向上できる。さらに、最も腐食や絶縁劣化の影響を受けやすい第１の蓄電セル及び第２の蓄電セルの電極端子やそれに接続される制御回路が清浄なガスで覆われるため、蓄電モジュールの可用性を高めることができる。
【００１８】
上記の蓄電モジュールにおいて、前記第１の隔壁部材及び前記第２の隔壁部材の前記第３の区画空間側の壁面に腐食保護部材が塗布されている、としてもよい。
【００１９】
この構成によれば、第１の蓄電セル及び第２の蓄電セルの防爆弁から放出された高圧ガスが第３の区画空間に混入されることをより確実に防止できる。
【００２０】
上記目的を達成するために、その他の本発明に係る蓄電モジュールは、一対の端面及び一対の側面を有する箱形の筐体と、前記筐体の前記一対の側面間において前記一対の側面に対置され、気密構造の複数の保持部が形成されている第１及び第２の隔壁部材と、一対の端面のうち一方の端面には電極端子が備えられ、かつ他方の端面には防爆弁が備えられた複数の第１及び第２の蓄電セルと、前記複数の第１の蓄電セルを制御する第１の制御回路と、前記複数の第２の蓄電セルを制御する第２の制御回路と、を備え、前記筐体内の空間は、前記第１の隔壁部材と前記筐体の一方の側面との間の第１の区画空間と、前記第２の隔壁部材と前記筐体の他方の側面との間の第２の区画空間と、前記第１の隔壁部材と前記第２の隔壁部材との間の第３の区画空間と、に区画され、前記第１の隔壁部材に形成された前記複数の保持部には前記第１の蓄電セルが各々挿入されて、前記第１の蓄電セルが、その電極端子が前記第１の区画空間に曝され、かつその防爆弁が前記第３の区画空間に曝されるように配され、前記第２の隔壁部材に形成された前記複数の保持部には前記第２の蓄電セルが各々挿入されて、前記第２の蓄電セルが、その電極端子が前記第２の区画空間に曝され、かつその防爆弁が前記第３の区画空間に曝されるように配され、前記第１の区画空間には複数の前記第１の蓄電セルの電極端子と接続された前記第１の制御回路が配され、前記第２の区画空間には複数の前記第２の蓄電セルの電極端子と接続された前記第２の制御回路が配され、前記筐体の端面視において、複数の前記第１の蓄電セル同士が互いに重なり合うように一列に並び、かつ複数の前記第２の蓄電セル同士が互いに重なり合うように一列に並んでおり、前記筐体の側面視において、前記複数の第１の蓄電セルの防爆弁と前記複数の第２の蓄電セルの防爆弁とが重なり合わないように、前記複数の第１の蓄電セル及び前記複数の第２の蓄電セルが配置されている、蓄電モジュールである。
【００２１】
この構成によれば、筐体内の空間は、筐体の一方の側面から他方の側面に向けて、第１の蓄電セルの電極端子が曝される第１の区画空間と、第１の蓄電セル及び第２の蓄電セルの防爆弁が曝される第３の区画空間と、第２の蓄電セルの電極端子が曝される第２の区画空間とに分離される。これにより、第１の蓄電セル又は第２の蓄電セルの防爆弁から放出された電解液ミストなどの高圧ガスによって、第１の蓄電セル及び第２の蓄電セルの胴体、電極端子等が腐食や絶縁劣化されることを阻止できる。よって、蓄電モジュールの可用性が向上する。また、第１の蓄電セルの防爆弁と第２の蓄電セルの防爆弁とが向き合わないので、例えば第１の蓄電セルの防爆弁から放出された高圧ガスが、第２の蓄電セルの防爆弁に直接的に噴射されずに済むので、第１の蓄電セルの防爆弁及び第２の蓄電セルの防爆弁の変形による作動圧力の低下を防止できる。
【００２２】
上記の蓄電モジュールにおいて、前記筐体の側面視において、隣り合う前記第１の蓄電セル及び前記第２の蓄電セルの端面同士が重なり合うように、前記複数の第１の蓄電セル及び前記複数の第２の蓄電セルが配置されている、としてもよい。
【００２３】
この構成によれば、筐体の一対の側面の面積の拡大が抑えられ、筐体をさらに小型化できる。
【００２４】
上記の蓄電モジュールにおいて、前記第１の区画空間に前記筐体の一対の側面に対置された第３の隔壁部材が設けられ、前記第２の区画空間に前記筐体の一対の側面に対置された第４の隔壁部材が設けられ、前記第３の隔壁部材に形成された気密構造の複数の保持部には前記第１の蓄電セルが各々挿入されて、前記第１の蓄電セルが、前記第３の隔壁部材と前記第１の隔壁部材との間の空間にその胴体部が曝され、かつ前記第３の隔壁部材と前記筐体の一方の側面との間の空間にその電極端子が曝されるように配され、前記第４の隔壁部材に形成された気密構造の複数の保持部には前記第２の蓄電セルが各々挿入されて、前記第４の隔壁部材と前記第２の隔壁部材との間の空間にその胴体部が曝され、かつ前記第４の隔壁部材と前記筐体の他方の側面との間の空間にその電極端子が曝されるように配される、としてもよい。
【００２５】
この構成によれば、第１の隔壁部材及び第３の隔壁部材によって第１の蓄電セルが二箇所で保持されるとともに、第２の隔壁部材及び第４の隔壁部材によって第２の蓄電セルが二箇所で保持されるので、制御回路と接続される第１の蓄電セル及び第２の蓄電セルの電極端子にかかる負荷が抑えられ、筐体内での第１の蓄電セル及び第２の蓄電セルの保持が安定化し、蓄電モジュールの振動に伴う障害の発生が防止される。
【００２６】
上記の蓄電モジュールにおいて、前記筐体の一方の側面と前記第３の隔壁部材との間の空間に向けて冷却ガスを吸入させる第１の吸入ファンと、前記第３の隔壁部材と前記第１の隔壁部材との間の空間から前記冷却ガスを排出させる第１の排出ファンと、前記筐体の他方の側面と前記第４の隔壁部材との間の空間に向けて冷却ガスを吸入させる第２の吸入ファンと、前記第４の隔壁部材と前記第２の隔壁部材との間の空間から前記冷却ガスを排出させる第２の排出ファンと、を備える、としてもよい。
【００２７】
この構成によれば、第１の吸入ファンにより筐体の一方の側面と第３の隔壁部材との間の空間へ冷却ガスを誘導して、第１の排出ファンにより当該冷却ガスを第１の隔壁部材と第３の隔壁部材との間の空間から排出すること、及び第２の吸入ファンにより筐体の他方の側面と第４の隔壁部材との間の空間へ冷却ガスを誘導して、第２の排出ファンにより第２の隔壁部材と第４の隔壁部材との間の空間から排出することによって、蓄電モジュール内の第１の蓄電セル及び第２の蓄電セル間の温度差を均一にすることができ、蓄電モジュールの冷却性能を向上できる。さらに、最も腐食や絶縁劣化の影響を受けやすい第１の蓄電セル及び第２の蓄電セルの電極端子やそれに接続される制御回路が清浄なガスで覆われるため、蓄電モジュールの可用性を高めることができる。
【００２８】
上記の蓄電モジュールにおいて、前記第１の隔壁部材の前記第１の区画空間側の壁面及び前記第２の隔壁部材の前記第２の区画空間側の壁面に腐食保護部材が塗布されている、としてもよい。
【００２９】
この構成によれば、第１の蓄電セル及び第２の蓄電セルの防爆弁から放出された高圧ガスが、第１の区画空間及び第２の区画空間に混入されることをより確実に防止できる。
【発明の効果】
【００３０】
本発明によると、冷却性能や安全性を向上させることで、蓄電モジュールの可用性を向上させることができる。
【図面の簡単な説明】
【００３１】
【図１】図１Ａは本発明の第１の実施の形態に係る蓄電モジュールの筐体内部の平面視（上方から見た筐体内部の投影図）である。図１Ｂは図１Ａ中の点線で囲んだＣの部分に係る筐体の側面視（図中のＡ´→Ａの方向から見た筐体内部の投影図）である。
【図２】図２は本発明の第２の実施の形態に係る蓄電モジュールの筐体内部の平面視を表した図である。
【図３】図３は本発明の第３の実施の形態に係る蓄電モジュールの筐体内部の平面視を表した図である。
【図４】図４Ａは本発明の第４の実施の形態に係る蓄電モジュールの筐体内部の平面視（上方から見た筐体内部の投影図）である。図４Ｂは図４Ａ中の点線で囲んだＣの部分に係る筐体の側面視（図中のＡ´→Ａの方向から見た筐体内部の投影図）である。
【図５】図５は本発明の第５の実施の形態に係る蓄電モジュールの筐体内部の平面視を表した図である。
【図６】図６は本発明の第６の実施の形態に係る蓄電モジュールの筐体内部の平面視を表した図である。
【発明を実施するための形態】
【００３２】
以下、本発明の好ましい実施の形態を、図面を参照しながら説明する。なお、以下では全ての図を通じて同一又は相当する要素には同一の参照符号を付して、その重複する説明を省略する。
（第１の実施の形態）
図１は本発明の第１の実施の形態に係る蓄電モジュールの構造を説明するための図である。図１Ａは本発明の第１の実施の形態に係る蓄電モジュールの筐体内部の平面視（上方から見た筐体内部の投影図）である。図１Ｂは図１Ａ中の点線で囲んだＣの部分に係る筐体の側面視（図中のＡ´→Ａの方向から見た筐体内部の投影図）である。
【００３３】
図１Ａに示す蓄電モジュール１は、複数の蓄電セル（１０ａ、１０ｂ）及びそれらを制御する制御回路６を筐体２の内部に収納してモジュール化したものである。なお、以下の説明では、図中に示す筐体２の一方の側面Ｓ１から他方の側面Ｓ２に向う方向（図中のＡ´→Ａの方向）を筐体２の長さ方向とし、図中に示す筐体２の一方の端面Ｓ３から他方の端面Ｓ４に向う方向を筐体２の幅方向とし、かつ紙面表から紙面裏に向う方向を筐体２の高さ方向とする。
【００３４】
筐体２は、弁当箱のような箱形の形状を呈しており、一対の側面Ｓ１、Ｓ２と、一対の端面Ｓ３、Ｓ４と、不図示の底面及び上面と、により内部空間を形成している。なお、筐体２は、耐振動性、強度、熱伝導性に優れる部材で実現されることが好ましく、例えばプラスチック製や金属製の部材で実現される。
【００３５】
蓄電モジュール１に収納される複数の蓄電セル（１０ａ、１０ｂ）は、防爆構造を備えるものであり、一方の端面に電極端子（２０ａ、２０ｂ）、詳細には正電極端子（２１ａ、２１ｂ）及び負電極端子（２２ａ、２２ｂ）が形成されるとともに、他方の端面に内部圧力の上昇により内部ガスを外部に放出する防爆弁（３０ａ、３０ｂ）が形成されている。同図に示される蓄電セル（１０ａ、１０ｂ）は、同一種類でありかつ同一規格である円筒型のリチウムイオン電池の場合を例示している。なお、蓄電セル（１０ａ、１０ｂ）は、円筒型の形状に限らず、角型やラミネート型の形状であってもよい。また、蓄電セル（１０ａ、１０ｂ）は、電気二重層コンデンサ又はリチウムイオンキャパシタであってもよい。
【００３６】
図１Ａに示す蓄電モジュール１は、筐体２と、筐体２の一対の側面Ｓ１、Ｓ２間において一対の側面Ｓ１、Ｓ２に対置される隔壁部材３ａ（本発明における第１の隔壁部材）及び隔壁部材３ｂ（本発明における第２の隔壁部材）と、複数の蓄電セル（１０ａ、１０ｂ）と、複数の蓄電セル（１０ａ、１０ｂ）を制御する制御回路６と、を備えている。
【００３７】
筐体２内の空間は、隔壁部材３ａと筐体の一方の側面Ｓ１との間の区画空間５ａ（本発明における第１の区画空間）と、隔壁部材３ｂと筐体２の他方の側面Ｓ２との間の区画空間５ｂ（本発明における第２の区画空間と）、隔壁部材３ａと隔壁部材３ｂとの間の区画空間４（本発明における第３の区画空間）と、に分離されている。
【００３８】
隔壁部材３ａは、複数の蓄電セル１０ａ（本発明における第１の蓄電セル）の外周面を取り囲む気密構造の複数の保持部３２ａを備えている。同様に、隔壁部材３ｂは、複数の蓄電セル１０ｂ（本発明における第２の蓄電セル）の外周面を取り囲む気密構造の複数の保持部３２ｂを備えている。
【００３９】
隔壁部材３ａに形成された複数の保持部３２ａに蓄電セル１０ａが各々挿入された場合、蓄電セル１０ａが、その防爆弁３０ａが区画空間５ａに曝され、かつその電極端子２０ａが区画空間４に曝されるように配置される。また、隔壁部材３ｂに形成された気密構造の複数の保持部３２ｂに蓄電セル１０ｂが各々挿入された場合、蓄電セル１０ｂが、その防爆弁３０ｂが区画空間５ｂに曝され、かつその電極端子２０ｂが区画空間４に曝されるように配置される。この結果、防爆弁（３０ａ、３０ｂ）から放出した電解液ミストなどの高圧ガスによって、蓄電セル（１０ａ、１０ｂ）の胴体部や電極端子（２０ａ、２０ｂ）、及び制御回路６が腐食や絶縁劣化されることを抑止できる。
【００４０】
なお、電極端子２０ａが形成された蓄電セル１０ａの一方の端面と、電極端子２０ｂが形成された蓄電セル１０ｂの一方の端面とが、制御回路６を介して向かい合わされた状態で、複数の蓄電セル（１０ａ、１０ｂ）の電極端子（２０ａ、２０ｂ）と制御回路６とが接続されている。
【００４１】
制御回路６は、ヒューズ機能を有し、蓄電セル（１０ａ、１０ｂ）の直列または並列接続に応じて導体がパターン形成されたガラエポ製などのプリント配線基板でもよい。また、制御回路６は、ＰＴＣ（Positive Temperature Coefficient）機能を有する保護回路、セルの電圧や電流の検知回路、充放電制御回路などを含んでもよい。
【００４２】
筐体２の端面視（図中のＡ´→Ａの方向から見た筐体内部の投影図）において、複数の蓄電セル１０ａ同士が互いに重なり合うように一列に並び、かつ複数の蓄電セル１０ｂ同士が互いに重なり合うように一列に並んでいる。かかる配置により、筐体２の一対の端面Ｓ３、Ｓ４の面積の拡大が抑えられ、筐体２を小型化できる。
【００４３】
筐体２の側面視において、複数の蓄電セル１０ａの電極端子２０ａと複数の蓄電セル１０ｂの電極端子２０ｂとが重なり合わないように、複数の蓄電セル（１０ａ、１０ｂ）が配置されている。換言すると、図１Ｂの筐体２の側面視に示すように、蓄電セル１０ａの電極端子２０ａと蓄電セル１０ｂの電極端子２０ｂとが、筐体２の幅方向に沿って、互いに重ならないように、蓄電セル１０ａと蓄電セル１０ｂとが交互に配置されている。かかる配置により、制御回路６と複数の蓄電セル（１０ａ、１０ｂ）の電極端子（２０ａ、２０ｂ）と間の接続を容易にできる。なお、本実施の形態では、筐体２の側面視において、蓄電セル１０ａの防爆弁３０ａと蓄電セル１０ｂの防爆弁３０ｂについても、重なり合わないように、複数の蓄電セル（１０ａ、１０ｂ）が配置されている。
【００４４】
また、筐体２の側面視において、蓄電セル（１０ａ、１０ｂ）の電極端子（２０ａ、２０ｂ）を除いた端面の一部の領域が重なり合うように、複数の蓄電セル（１０ａ、１０ｂ）が配置されている。かかる配置により、筐体２の側面Ｓ１、Ｓ２の面積の拡大が抑えられ、蓄電モジュール１をさらに小型化できる。
【００４５】
隔壁部材（３ａ、３ｂ）は、耐振動性、強度、熱伝導性に優れる部材であることが好ましく、例えばプラスチックを材料とするホルダーリブとして実施される。その他に、隔壁部材（３ａ、３ｂ）は、金属製の材料で実施してもよく、二枚以上であってもよい。
【００４６】
隔壁部材（３ａ、３ｂ）に形成された保持部（３２ａ、３２ｂ）は、複数の蓄電セル（１０ａ、１０ｂ）を、耐振動性、強度、熱伝導性に優れた方法で固着させる気密構造であることが好ましく、例えばポリウレタン接着剤で接着してもよいし、ゴム製のＯリングを介して固定してもよい。これにより、防爆弁（３０ａ、３０ｂ）から飛散した電解液ミストなどの高圧ガスを区画空間（５ａ、５ｂ）内により確実に閉じ込めることができる。
【００４７】
以上のとおり、本発明によれば、複数の蓄電セル１０ａと複数の蓄電セル１０ｂとが筐体２内で横置きされ、かつ蓄電モジュール１の略中央に対して対称的な配置となるように、隔壁部材３ａ、３ｂによって各々保持されるので、複数の蓄電セル１０ａ及び複数の蓄電セル１０ｂを、遊動させることなく、かつ蓄電モジュール１の中央に重心が来るように配設できる。このため、薄型で安定した蓄電モジュール１となり、複数の蓄電モジュール１が横に並べて使用されるか、若しくは縦積みで使用されたとしても、安定した設置性が得られる。さらに、防爆弁（３０ａ、３０ｂ）から放出された高圧ガスによる電極端子（２０ａ、２０ｂ）の腐食及び電極端子（２０ａ、２０ｂ）間の絶縁劣化が防止され、安全で長寿命の蓄電モジュール１を提供することができる。このような蓄電モジュール１は、特に、自動車などの産業用途や住宅用途に適したものとなる。
【００４８】
（第２の実施の形態）
図２は本発明の第２の実施の形態に係る蓄電モジュールの筐体内部の平面視を表した図である。
【００４９】
本発明の第２の実施の形態に係る蓄電モジュール１は、本発明の第１の実施の形態に係る蓄電モジュール１と比べて、隔壁部材３ａと隔壁部材３ｂとの間の区画空間４に、筐体２の一方の側面Ｓ１側に対置された隔壁部材９ａ（本発明における第３の隔壁部材）と、筐体２の他方の側面Ｓ２側に対置された隔壁部材９ｂ（本発明における第４の隔壁部材）とが設けられている点が相違する。
【００５０】
隔壁部材３ａの保持部３２ａは、防爆弁３０ａが形成された蓄電セル１０ａの他方の端面側の外周面を取り囲んでいる。隔壁部材３ｂの保持部３２ｂは、防爆弁３０ｂが形成された蓄電セル１０ｂの他方の端面側の外周面を取り囲んでいる。
【００５１】
隔壁部材９ａは、電極端子２０ａが形成された蓄電セル１０ａの一方の端面側の外周面を取り囲む気密構造の複数の保持部９０ａを備えている。隔壁部材９ｂは、電極端子２０ｂが形成された蓄電セル１０ｂの一方の端面側の外周面を取り囲む気密構造の複数の保持部９０ｂを備えている。
【００５２】
隔壁部材９ａに形成された複数の保持部９０ａに蓄電セル１０ａが各々挿入された場合、蓄電セル１０ａが、隔壁部材９ａと隔壁部材３ａとの間の区画空間４２ａに蓄電セル１０ａの胴体部が曝され、かつ隔壁部材９ａと隔壁部材９ｂとの間の区画空間４１に蓄電セル１０ａの電極端子２０ａが曝されるように配置される。
【００５３】
隔壁部材９ｂに形成された複数の保持部９０ｂに蓄電セル１０ｂが各々挿入された場合、蓄電セル１０ｂが、隔壁部材９ｂと隔壁部材３ｂとの間の区画空間４２ｂに蓄電セル１０ｂの胴体部が曝され、かつ隔壁部材９ｂと隔壁部材９ａとの間の空間に蓄電セル１０ｂの電極端子２０ｂが曝されるように配置される。
【００５４】
つまり、隔壁部材３ａと隔壁部材３ｂとの間の区画空間４が、蓄電セル１０ａの胴体部が曝される区画空間４２ａと、蓄電セル１０ａの電極端子２０ａ、蓄電セル１０ｂの電極端子２０ｂ、及び制御回路６が曝される区画空間４１と、蓄電セル１０ｂの胴体部が曝される区画空間４２ｂと、に分離される。
【００５５】
このように、隔壁部材（３ａ、３ｂ）に加えて隔壁部材（９ａ、９ｂ）によって蓄電セル（１０ａ、１０ｂ）を保持したことにより、本発明の第１の実施の形態と比べて、隔壁部材（３ａ、３ｂ）及び隔壁部材（９ａ、９ｂ）によって蓄電セル（１０ａ、１０ｂ）が二箇所で保持されるので、制御回路６と接続される電極端子（２０ａ、２０ｂ）にかかる負荷が抑えられ、蓄電セル（１０ａ、１０ｂ）の保持が安定化し、蓄電モジュール１の振動に伴う障害の発生が防止される。
【００５６】
（第３の実施の形態）
図３は本発明の第３の実施の形態に係る蓄電モジュールの筐体内部の平面視を表した図である。
【００５７】
本発明の第３の実施の形態に係る蓄電モジュール１は、本発明の第１の実施の形態に係る蓄電モジュール１と比べて、隔壁部材９ａと隔壁部材９ｂとの間の区画空間４１に向けて蓄電セル（１０ａ、１０ｂ）を冷却するための冷却ガスを吸入させる吸入ファン７と、隔壁部材９ａと隔壁部材３ａとの間の区画空間４２ａ及び隔壁部材９ｂと隔壁部材３ｂとの間の区画空間４２ｂから冷却ガスを排出させる排出ファン８と、を備える点が相違する。
【００５８】
なお、隔壁部材（９ａ、９ｂ）の筐体２の幅方向（端面Ｓ３から端面Ｓ４に向う方向）に沿った長さは、隔壁部材（３ａ、３ｂ）の筐体２の幅方向に沿った長さよりも短くしている。これにより、区画空間４１と区画空間（４２ａ、４２ｂ）との間では一部の空間が連続している。
【００５９】
従って、吸入ファン７により区画空間４１へ冷却ガスを誘導し、排出ファン（８ａ、８ｂ）により当該冷却ガスを区画空間４１と一部が連続する区画空間（４２ａ、４２ｂ）から排出することによって、蓄電モジュール１内の蓄電セル（１０ａ、１０ｂ）間の温度差を均一にすることができる。さらに、最も腐食や絶縁劣化の影響を受けやすい電極端子（２０ａ、２０ｂ）や制御回路６が清浄なガスで覆われるため、蓄電モジュール１の可用性を高めることができる。
【００６０】
なお、隔壁部材（９ａ、９ｂ）が、図３中で筐体２の端面Ｓ３から端面Ｓ４に行くほど区画空間４１の空間が狭くなるように斜めに配置されることで、冷却ガスの風速を変化させて蓄電モジュール１の冷却能力が調整されるようにしてもよい。
【００６１】
また、区画空間４には、蓄電セル（１０ａ、１０ｂ）の充放電の際の発熱による温度上昇を抑えるため、さらに冷却風の導入口、排出口、及びファンを設けるようにしてもよい。
【００６２】
また、区画空間５には、蓄電セル（１０ａ、１０ｂ）の防爆弁（３０ａ、３０ｂ）から放出された高圧ガスの回収を行うための弁や取り出し口などが設けられてもよく、ガス吸収剤が設置されてもよい。
【００６３】
また、隔壁部材３ａ及び隔壁部材３ｂの区画空間４側の壁面に腐食保護部材（例えばポリウレタン樹脂膜）が塗布されてもよい。これにより、蓄電セル（１０ａ、１０ｂ）の防爆弁（３０ａ、３０ｂ）から放出された高圧ガスが区画空間４に混入されることをより確実に防止できる。
【００６４】
（第４の実施の形態）
図４は本発明の第４の実施の形態に係る蓄電モジュールの構造を説明するための図である。図４Ａは本発明の第４の実施の形態に係る蓄電モジュールの筐体内部の平面視（上方から見た筐体内部の投影図）である。図４Ｂは図４Ａ中の点線で囲んだＣの部分に係る筐体の側面視（図中のＡ´→Ａの方向から見た筐体内部の投影図）である。
【００６５】
本発明の第４の実施の形態に係る蓄電モジュール１は、本発明の第１の実施の形態に係る蓄電モジュール１と比べて、隔壁部材（３ａ、３ｂ）に対する蓄電セル（１０ａ、１０ｂ）の配置が逆になっている点と、蓄電セル（１０ａ、１０ｂ）のそれぞれに制御回路６ａ、６ｂが設けられている点とが相違する。
【００６６】
詳述すると、隔壁部材３ａに形成された複数の保持部３２ａには蓄電セル１０ａが各々挿入され、蓄電セル１０ａが、その電極端子２０ａが区画空間５ａに曝され、かつその防爆弁３０ａが区画空間４に曝されるように配置されている。
【００６７】
隔壁部材３ｂに形成された複数の保持部３２ｂには蓄電セル１０ｂが各々挿入され、蓄電セル１０ｂが、その電極端子２０ｂが区画空間５ｂに曝され、かつその防爆弁３０ｂが区画空間４に曝されるように配置されている。
【００６８】
区画空間５ａには複数の蓄電セル１０ａの電極端子２０ａと接続された制御回路６ａが配置され、区画空間５ｂには複数の蓄電セル１０ｂの電極端子２０ｂと接続された制御回路６ｂが配置されている。
【００６９】
筐体２の端面視において、複数の蓄電セル１０ａ同士が互いに重なり合うように一列に並び、かつ複数の蓄電セル１０ｂ同士が互いに重なり合うように一列に並んでいる。
【００７０】
筐体２の側面視において、複数の蓄電セル１０ａの防爆弁３０ａと複数の蓄電セル１０ｂの防爆弁３０ｂとが重なり合わないように、複数の蓄電セル１０ａ及び複数の蓄電セル１０ｂが配置されている。  
【００７１】
以上のような配置により、区画空間４の中で蓄電セル１０ａの防爆弁３０ａと蓄電セル１０ｂの防爆弁３０ｂとが向き合わないので、例えば蓄電セル１０ａの防爆弁３０ａから放出された高圧ガスが、蓄電セル１０ｂの防爆弁３０ｂに直接的に噴射されずに済み、防爆弁（３０ａ、３０ｂ）の変形による作動圧力の低下を防止できる。
【００７２】
（第５の実施の形態）
図５は本発明の第５の実施の形態に係る蓄電モジュールの筐体内部の平面視を表した図である。
【００７３】
本発明の第５の実施の形態に係る蓄電モジュール１は、本発明の第４の実施の形態に係る蓄電モジュール１と比べて、隔壁部材３ａと筐体２の一方の側面Ｓ１との間の区画空間５ａにおいて筐体２の一方の側面Ｓ１側に配設された隔壁部材９ａ（本発明における第３の隔壁部材）と、隔壁部材３ｂと筐体２の他方の側面Ｓ２との間の区画空間５ｂにおいて筐体２の他方の側面Ｓ２側に配設された隔壁部材９ｂ（本発明における第４の隔壁部材）とが設けられている点が相違する。
【００７４】
隔壁部材３ａの保持部３２ａは、防爆弁３０ａが形成された蓄電セル１０ａの他方の端面側の外周面を取り囲んでいる。隔壁部材３ｂの保持部３２ｂは、防爆弁３０ｂが形成された蓄電セル１０ｂの他方の端面側の外周面を取り囲んでいる。
【００７５】
隔壁部材９ａは、電極端子２０ａが形成された蓄電セル１０ａの一方の端面側の外周面を取り囲む気密構造の複数の保持部９０ａを備えている。隔壁部材９ｂは、電極端子２０ｂが形成された蓄電セル１０ｂの一方の端面側の外周面を取り囲む気密構造の複数の保持部９０ｂを備えている。
【００７６】
隔壁部材９ａに形成された複数の保持部３２ａには蓄電セル１０ａが各々挿入されて、蓄電セル１０ａが、隔壁部材９ａと隔壁部材３ａとの間の区画空間５２ａにその胴体部が曝され、かつ隔壁部材９ａと筐体２の一方の側面Ｓ１との間の区画空間５１ａにその電極端子２０ａが曝されるように配置されている。
【００７７】
隔壁部材９ｂに形成された複数の保持部３２ｂには蓄電セル１０ｂが各々挿入されて、隔壁部材９ｂと隔壁部材３ｂとの間の区画空間５２ｂにその胴体部が曝され、かつ隔壁部材９ｂと筐体２の他方の側面Ｓ２との間の区画空間５１ｂにその電極端子２０ｂが曝されるように配置されている。
【００７８】
つまり、隔壁部材３ａと筐体２の一方の側面Ｓ１との間の区画空間５ａが、蓄電セル１０ａの電極端子２０ａ、及び制御回路６ａが曝される区画空間５１ａと、蓄電セル１０ａの胴体部が曝される区画空間４２ａとに区画される。また、隔壁部材３ｂと筐体２の他方の側面Ｓ２との間の区画空間５ｂが、蓄電セル１０ｂの電極端子２０ｂ、及び制御回路６ｂが曝される区画空間５１ｂと、蓄電セル１０ｂの胴体部が曝される区画空間４２ｂとに区画される。
【００７９】
このように、隔壁部材（３ａ、３ｂ）に加えて隔壁部材（９ａ、９ｂ）によって蓄電セル（１０ａ、１０ｂ）を保持したことにより、本発明の第４の実施の形態と比べて、隔壁部材（３ａ、３ｂ）及び隔壁部材（９ａ、９ｂ）によって蓄電セル（１０ａ、１０ｂ）が二箇所で保持されるので、制御回路６と接続される電極端子（２０ａ、２０ｂ）にかかる負荷が抑えられ、蓄電セル（１０ａ、１０ｂ）の保持が安定化し、蓄電モジュール１の振動に伴う障害の発生が防止される。
【００８０】
（第６の実施の形態）
図６は本発明の第６の実施の形態に係る蓄電モジュールの筐体内部の平面視を表した図である。
【００８１】
本発明の第６の実施の形態に係る蓄電モジュール１は、本発明の第４の実施の形態に係る蓄電モジュール１と比べて、筐体２の一方の側面Ｓ１と隔壁部材９ａとの間の区画空間５１ａに向けて冷却ガスを吸入させる吸入ファン７ａ（本発明における第１の吸入ファン）と、隔壁部材９ａと隔壁部材３ａとの間の区画空間５２ａから冷却ガスを排出させる排出ファン８ａ（本発明における第１の排出ファン）と、筐体２の他方の側面Ｓ２と隔壁部材９ｂとの間の区画空間５１ｂに向けて冷却ガスを吸入させる吸入ファン７ｂ（本発明における第２の吸入ファン）と、隔壁部材９ｂと隔壁部材３ｂとの間の区画空間５２ｂから冷却ガスを排出させる排出ファン（本発明における第２の排出ファン）と、を備える点が相違する。
【００８２】
なお、隔壁部材９ａ、９ｂの筐体２の幅方向（端面Ｓ３から端面Ｓ４に向う方向）に沿った長さは、隔壁部材３ａ、３ｂの筐体２の幅方向に沿った長さよりも短くしている。これにより、区画空間５１aと区画空間５２ａとの間、及び区画空間５１ｂと区画空間５２ｂとの間では、一部の空間が連続している。
【００８３】
従って、吸入ファン７aにより区画空間５１ａへ冷却ガスを誘導し、排出ファン８ａにより当該冷却ガスを区画空間５１ａと一部が連続する区画空間５２ａから排出し、かつ吸入ファン７ｂにより区画空間５１ｂへ冷却ガス（冷却ガス）を誘導し、排出ファン８ｂにより当該冷却ガスを区画空間５１ｂと一部が連続する区画空間５２ｂから排出することによって、蓄電モジュール１内の蓄電セル（１０ａ、１０ｂ）間の温度差を小さくできる。さらに、最も腐食や絶縁劣化の影響を受けやすい電極端子（２０ａ、２０ｂ）や制御回路（６ａ、６ｂ）が清浄なガスで覆われるため、可用性を高めることができる。
【００８４】
なお、隔壁部材（９ａ、９ｂ）が、図６中で筐体２の端面Ｓ３から端面Ｓ４に行くほど区画空間（５１ａ、５１ｂ）の空間が狭くなるように斜めに配置されることで、冷却ガスの風速を変化させて蓄電モジュール１の冷却能力が調整されるようにしてもよい。
【００８５】
また、区画空間５には、蓄電セル（１０ａ、１０ｂ）の充放電の際の発熱による温度上昇を抑えるため、さらに冷却風の導入口、排出口、及びファンを設けるようにしてもよい。
【００８６】
また、区画空間４には、蓄電セル（１０ａ、１０ｂ）の防爆弁（３０ａ、３０ｂ）から放出された高圧ガスの回収を行うための弁や取り出し口などが設けられてもよく、ガス吸収剤が設置されてもよい。
【００８７】
また、隔壁部材３ａの区画空間５ａ側及び隔壁部材３ｂの区画空間５ｂ側の各壁面に腐食保護部材（例えばポリウレタン樹脂膜）が塗布されてもよい。これにより、蓄電セル（１０ａ、１０ｂ）の防爆弁（３０ａ、３０ｂ）から放出された高圧ガスが区画空間（５ａ、５ｂ）に混入されることをより確実に防止できる。
【００８８】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００８９】
本発明は、電気二重層コンデンサ、リチウムイオン二次電池、リチウムイオンキャパシタなどの蓄電セルをモジュール化した蓄電モジュールに係るものであり、特に自動車などの産業用途や住宅用途に使用される蓄電モジュールとして有用である。
【符号の説明】
【００９０】
１…蓄電モジュール
１０ａ…蓄電セル（第１の蓄電セル）
１０ｂ…蓄電セル（第２の蓄電セル）
２…筐体
２０、（２０ａ、２０ｂ）…電極端子
２１ａ、２１ｂ…正電極端子
２２ａ、２２ｂ…負電極端子
（３０ａ、３０ｂ）…防爆弁
３２ａ、３２ｂ…保持部
３ａ…隔壁部材（第１の隔壁部材）
３ｂ…隔壁部材（第２の隔壁部材）
４…区画空間（第３の区画空間）
４１…区画空間
４２ａ…区画空間
４２ｂ…区画空間
５ａ…区画空間（第１の区画空間）
５ｂ…区画空間（第２の区画空間）
５１ａ、５１ｂ…区画空間
５２ａ、５２ｂ…区画空間
６、６ａ、６ｂ…制御回路
７…吸入ファン
７ａ…吸入ファン（第１の吸入ファン）
７ｂ…吸入ファン（第２の吸入ファン）
８…排出ファン
８ａ…排出ファン（第１の排出ファン）
８ｂ…排出ファン（第２の排出ファン）
９０ａ、９０ｂ…保持部
９ａ…隔壁部材（第３の隔壁部材）
９ｂ…隔壁部材（第４の隔壁部材）
【図１】
2011249107.tif 000003
【図２】
2011249107.tif 000004
【図３】
2011249107.tif 000005
【図４】
2011249107.tif 000006
【図５】
2011249107.tif 000007
【図６】
2011249107.tif 000008